【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
少なくとも結着樹脂及び着色剤を含む電子写真トナーであって、前記結着樹脂が式Ｘ（ＯＳＯ2ＣＦ3）3（式中、Ｘは希土類元素を表す。）で表される希土類金属トリフラート又は式Ｘ（Ｎ（ＯＳＯ2ＣＦ3）2）3（式中、Ｘは希土類元素を表す。）で表される希土類金属トリフリルイミドを担体に担持させた不均一触媒で合成されたポリエステル樹脂を含むことを特徴とする電子写真トナー。
【請求項２】
ジカルボン酸を含むカルボン酸及びジオールを含むアルコールから合成された電子写真トナー用ポリエステル樹脂であって、前記ポリエステル樹脂が、式Ｘ（ＯＳＯ2ＣＦ3）3（式中、Ｘは希土類元素を表す。）で表される希土類金属トリフラート又は式Ｘ（Ｎ（ＯＳＯ2ＣＦ3）2）3（式中、Ｘは希土類元素を表す。）で表される希土類金属トリフリルイミドを担体に担持させた不均一触媒で合成されたものであることを特徴とする電子写真トナー用ポリエステル樹脂。
【請求項３】
前記ポリエステル樹脂が結晶性であることを特徴とする請求項２に記載の電子写真トナー用ポリエステル樹脂。
【請求項４】
ジカルボン酸を含むカルボン酸及びジオールを含むアルコールからポリエステル樹脂を合成する工程を含む電子写真トナー用ポリエステル樹脂の製造方法であって、合成触媒として式Ｘ（ＯＳＯ2ＣＦ3）3（式中、Ｘは希土類元素を表す。）で表される希土類金属トリフラート又は式Ｘ（Ｎ（ＯＳＯ2ＣＦ3）2）3（式中、Ｘは希土類元素を表す。）で表される希土類金属トリフリルイミドを担体に担持させた不均一触媒を用いて合成することを特徴とする電子写真トナー用ポリエステル樹脂の製造方法。
【請求項５】
合成後、ポリエステル樹脂を溶解する溶媒にポリエステル樹脂を溶解させ、得られた溶液から前記希土類金属トリフラート又は前記希土類金属トリフリルイミドを担体に担持させた不均一触媒を回収する工程を更に有する、請求項４に記載の電子写真トナー用ポリエステル樹脂の製造方法。
【請求項６】
結着樹脂の微粒子分散液及び着色剤の微粒子分散液を混合して結着樹脂微粒子と着色剤微粒子とを凝集させる工程、前記結着樹脂のガラス転移温度又は融点以上の温度に加熱し、凝集した粒子を融合させる工程を有する電子写真トナーの製造方法であって、前記結着樹脂が式Ｘ（ＯＳＯ2ＣＦ3）3（式中、Ｘは希土類元素を表す。）で表される希土類金属トリフラート又は式Ｘ（Ｎ（ＯＳＯ2ＣＦ3）2）3（式中、Ｘは希土類元素を表す。）で表される希土類金属トリフリルイミドを担体に担持させた不均一触媒で合成された電子写真トナー用ポリエステル樹脂を含有することを特徴とする電子写真トナーの製造方法。
【請求項７】
キャリアとトナー含有する電子写真用現像剤であって、前記トナーが少なくとも結着樹脂及び着色剤を含み、前記結着樹脂が式Ｘ（ＯＳＯ2ＣＦ3）3（式中、Ｘは希土類元素を表す。）で表される希土類金属トリフラート又は式Ｘ（Ｎ（ＯＳＯ2ＣＦ3）2）3（式中、Ｘは希土類元素を表す。）で表される希土類金属トリフリルイミドを担体に担持させた不均一触媒で合成されたポリエステル樹脂を含むことを特徴とする電子写真用現像剤。
【請求項８】
潜像保持体表面に静電潜像を形成する潜像形成工程と、現像剤担持体に担持された現像剤を用い、前記潜像保持体表面に形成された静電潜像を現像してトナー画像を形成する現像工程と、前記潜像保持体表面に形成されたトナー画像を被転写体表面に転写する転写工程と、被転写体表面に転写されたトナー画像を熱定着する定着工程と、を含む画像形成方法において、前記現像剤が、キャリアとトナー含有し、前記トナーが少なくとも結着樹脂及び着色剤を含み、前記結着樹脂が式Ｘ（ＯＳＯ2ＣＦ3）3（式中、Ｘは希土類元素を表す。）で表される希土類金属トリフラート又は式Ｘ（Ｎ（ＯＳＯ2ＣＦ3）2）3（式中、Ｘは希土類元素を表す。）で表される希土類金属トリフリルイミドを担体に担持させた不均一触媒で合成されたポリエステル樹脂を含むことを特徴とする画像形成方法。
【手続補正２】
【補正対象書類名】明細書
【補正対象項目名】０００９
【補正方法】変更
【補正の内容】
【０００９】
上記課題は、以下の電子写真トナー及びその製造方法、電子写真トナー用ポリエステル樹脂及びその製造方法、電子写真用現像剤並びに画像形成方法を提供することにより解決される。
（１）少なくとも結着樹脂及び着色剤を含む電子写真トナーであって、前記結着樹脂が式Ｘ（ＯＳＯ2ＣＦ3）3（式中、Ｘは希土類元素を表す。）で表される希土類金属トリフラート又は式Ｘ（Ｎ（ＯＳＯ2ＣＦ3）2）3（式中、Ｘは希土類元素を表す。）で表される希土類金属トリフリルイミドを担体に担持させた不均一触媒で合成されたポリエステル樹脂を含むことを特徴とする電子写真トナー。
【手続補正３】
【補正対象書類名】明細書
【補正対象項目名】００１０
【補正方法】変更
【補正の内容】
【００１０】
（２）ジカルボン酸を含むカルボン酸及びジオールを含むアルコールから合成された電子写真トナー用ポリエステル樹脂であって、前記ポリエステル樹脂が、式Ｘ（ＯＳＯ2ＣＦ3）3（式中、Ｘは希土類元素を表す。）で表される希土類金属トリフラート又は式Ｘ（Ｎ（ＯＳＯ2ＣＦ3）2）3（式中、Ｘは希土類元素を表す。）で表される希土類金属トリフリルイミドを担体に担持させた不均一触媒で合成されたものであることを特徴とする電子写真トナー用ポリエステル樹脂。
（３）前記ポリエステル樹脂が結晶性であることを特徴とする前記（２）に記載の電子写真トナー用ポリエステル樹脂。
【手続補正４】
【補正対象書類名】明細書
【補正対象項目名】００１１
【補正方法】変更
【補正の内容】
【００１１】
（４）ジカルボン酸を含むカルボン酸及びジオールを含むアルコールからポリエステル樹脂を合成する工程を含む電子写真トナー用ポリエステル樹脂の製造方法であって、合成触媒として式Ｘ（ＯＳＯ2ＣＦ3）3（式中、Ｘは希土類元素を表す。）で表される希土類金属トリフラート又は式Ｘ（Ｎ（ＯＳＯ2ＣＦ3）2）3（式中、Ｘは希土類元素を表す。）で表される希土類金属トリフリルイミドを担体に担持させた不均一触媒を用いて合成することを特徴とする電子写真トナー用ポリエステル樹脂の製造方法。
（５）合成後、ポリエステル樹脂を溶解する溶媒にポリエステル樹脂を溶解させ、得られた溶液から前記希土類金属トリフラート又は前記希土類金属トリフリルイミドを担体に担持させた不均一触媒を回収する工程を更に有する、前記（４）に記載の電子写真トナー用ポリエステル樹脂の製造方法。
【手続補正５】
【補正対象書類名】明細書
【補正対象項目名】００１２
【補正方法】変更
【補正の内容】
【００１２】
（６）結着樹脂の微粒子分散液及び着色剤の微粒子分散液を混合して結着樹脂微粒子と着色剤微粒子とを凝集させる工程、前記結着樹脂のガラス転移温度又は融点以上の温度に加熱し、凝集した粒子を融合させる工程を有する電子写真トナーの製造方法であって、前記結着樹脂が式Ｘ（ＯＳＯ2ＣＦ3）3（式中、Ｘは希土類元素を表す。）で表される希土類金属トリフラート又は式Ｘ（Ｎ（ＯＳＯ2ＣＦ3）2）3（式中、Ｘは希土類元素を表す。）で表される希土類金属トリフリルイミドを担体に担持させた不均一触媒で合成された電子写真トナー用ポリエステル樹脂を含有することを特徴とする電子写真トナーの製造方法。
【手続補正６】
【補正対象書類名】明細書
【補正対象項目名】００１３
【補正方法】変更
【補正の内容】
【００１３】
（７）キャリアとトナー含有する電子写真用現像剤であって、前記トナーが少なくとも結着樹脂及び着色剤を含み、前記結着樹脂が式Ｘ（ＯＳＯ2ＣＦ3）3（式中、Ｘは希土類元素を表す。）で表される希土類金属トリフラート又は式Ｘ（Ｎ（ＯＳＯ2ＣＦ3）2）3（式中、Ｘは希土類元素を表す。）で表される希土類金属トリフリルイミドを担体に担持させた不均一触媒で合成されたポリエステル樹脂を含むことを特徴とする電子写真用現像剤。
【手続補正７】
【補正対象書類名】明細書
【補正対象項目名】００１４
【補正方法】変更
【補正の内容】
【００１４】
（８）潜像保持体表面に静電潜像を形成する潜像形成工程と、現像剤担持体に担持された現像剤を用い、前記潜像保持体表面に形成された静電潜像を現像してトナー画像を形成する現像工程と、前記潜像保持体表面に形成されたトナー画像を被転写体表面に転写する転写工程と、被転写体表面に転写されたトナー画像を熱定着する定着工程と、を含む画像形成方法において、前記現像剤が、キャリアとトナー含有し、前記トナーが少なくとも結着樹脂及び着色剤を含み、前記結着樹脂が式Ｘ（ＯＳＯ2ＣＦ3）3（式中、Ｘは希土類元素を表す。）で表される希土類金属トリフラート又は式Ｘ（Ｎ（ＯＳＯ2ＣＦ3）2）3（式中、Ｘは希土類元素を表す。）で表される希土類金属トリフリルイミドを担体に担持させた不均一触媒で合成されたポリエステル樹脂を含むことを特徴とする画像形成方法。
【手続補正８】
【補正対象書類名】明細書
【補正対象項目名】００１６
【補正方法】変更
【補正の内容】
【００１６】
本発明の電子写真トナーは、少なくとも結着樹脂及び着色剤を含み、前記結着樹脂が以下の式（１）で表される希土類金属トリフラート又は以下の式（２）で表される希土類金属トリフリルイミドを担体に担持させた不均一触媒で合成されたポリエステル樹脂であることを特徴とする。
本発明の電子写真トナーに用いる電子写真トナー用ポリエステル樹脂は結晶性であることが好ましい。
式（１）Ｘ（ＯＳＯ2ＣＦ3）3
式（２）Ｘ（Ｎ（ＯＳＯ2ＣＦ3）2）3
前記式（１）及び（２）において、Ｘは希土類元素を表し、中でもＳｃ、Ｙ、Ｙｂ又はＳｍが好ましい。